(57)【特許請求の範囲】
【請求項１】
被験者が載置される被験者載置台と、
該被験者載置台に載置された被験者を該被験者載置台に固定する被験者固定治具と
を、備え、
前記被験者固定治具は、被験者の治療患部を露出させつつ身体の一部又は全部を筒状に被覆する気密性の袋体を備え、
該袋体は、内部に複数の粒子状材料が充填され、該内部が陰圧とされることで形状の変化が抑制されるものであり、
前記被験者固定治具は、前記被験者載置台に対する前記袋体の相対位置を固定する固定部材を備え、
該固定部材は、前記被験者載置台に載置された被験者の体位が腹臥位と仰臥位との間で変更された場合において、前記相対位置の固定を維持するものであり、
前記被験者載置台の角度にかかわらず、前記被験者固定治具は前記治療患部が露出した状態で前記被験者を前記被験者載置台に固定し、前記被験者を前記被験者載置台に固定された表面から施術可能とする
ことを特徴とする被験者保持装置。
【請求項２】
前記袋体は、該袋体に被覆される被験者の治療患部に対応する位置に、前記袋体から該治療患部を露出させる穴部を備えた
請求項１に記載の被験者保持装置。
【請求項３】
前記治療患部は、前記被験者の少なくとも一方の乳房である
請求項２に記載の被験者保持装置。
【請求項４】
被験者の少なくとも一方の乳房を含む体表の形状に合わせてカップ状に形成され、内面側に被験者の皮膚表面に対して粘着性を有する粘着層を備えた乳房保持具と、
前記被験者載置台と前記乳房保持具との間に設けられ、前記被験者載置台に仰臥位で載置された被験者の頭足方向を基準方向として前記被験者載置台に対する前記乳房保持具の３次元方向の位置及び角度の少なくとも一方を調整できるアーム部材と
を、備えた請求項１から３の何れか１項に記載の被験者保持装置。
【請求項５】
前記袋体は、１方向の筒状又は複数方向に分岐した筒状である
請求項１から４の何れか１項に記載の被験者保持装置。
【請求項６】
前記袋体は、相互に定着させられる１対又は複数対の定着部を備え、該定着部が相互に定着させられることで筒状とされる
請求項１から５の何れか１項に記載の被験者保持装置。
【請求項７】
前記袋体は、前記定着部が相互に定着させられることで袖の無い胴衣状とされる
請求項６に記載の被験者保持装置。
【発明の詳細な説明】
【技術分野】
【０００１】
本発明は、粒子線治療等に際して被験者を保持する被験者保持装置に関する。
【背景技術】
【０００２】
例えば、医療用装置によりＸ線撮影或いは放射線治療等を行う際に、被験者の身体を被験者載置台に固定する装置が知られている。例えば、特許文献１に記載された医療用装置の被験者固定装置がその一例である。この技術によれば、被験者を載置する寝台天板に被験者を囲む袋体を備え、その袋体は硬い丈夫な材料で形成された表皮と、その内側に伸縮性のある柔らかい材料で形成された拡張室から構成されており、その拡張室にコンプレッサによって気体又は液体を注入することで、被験者を袋体で囲んだ状態で寝台天板に確実に固定することができるとされている。
【先行技術文献】
【特許文献】
【０００３】
【特許文献１】特開２００７−３０１２１７号公報
【発明の概要】
【発明が解決しようとする課題】
【０００４】
近年、陽子線をはじめとする粒子線を用いて癌等を治療する医療用装置が開発され、実際の治療に用いられている。斯かる粒子線治療では、粒子線を照射する装置と被験者の身体との相対位置関係が治療部位の決定に関わるため、被験者の身体を確実に固定することが求められる。例えば、乳癌を対象とする粒子線治療を考えた場合、粒子線の照射により乳房の近傍に位置する心臓、肺等の主要臓器に悪影響が出ないように、治療対象となる乳房をそれら主要臓器から離す必要がある。前記従来の技術のように、袋体に気体又は液体を注入することで内部の圧力を上昇させて被験者の身体を固定する技術では、袋体の膨張に押されて被験者の身体の位置がずれるおそれがあり、粒子線治療における要求に照らしてその身体を十分確実に固定することが困難であった。すなわち、粒子線治療等に際して被験者の身体を十分確実に固定する被験者保持装置は、未だ開発されていないのが現状である。
【０００５】
本発明は、以上の事情を背景として為されたものであり、その目的とするところは、粒子線治療等に際して被験者の身体を十分確実に固定する被験者保持装置を提供することにある。
【課題を解決するための手段】
【０００６】
斯かる目的を達成するために、本第１発明の要旨とするところは、被験者が載置される被験者載置台と、その被験者載置台に載置された被験者をその被験者載置台に固定する被験者固定治具とを、備え、前記被験者固定治具は、被験者の治療患部を露出させつつ身体の一部又は全部を筒状に被覆する気密性の袋体を備え、その袋体は、内部に複数の粒子状材料が充填され、その内部が陰圧とされることで形状の変化が抑制されるものであり、前記被験者固定治具は、前記被験者載置台に対する前記袋体の相対位置を固定する固定部材を備え、該固定部材は、前記被験者載置台に載置された被験者の体位が腹臥位と仰臥位との間で変更された場合において、前記相対位置の固定を維持するものであり、前記被験者載置台の角度にかかわらず、前記被験者固定治具は前記治療患部が露出した状態で前記被験者を前記被験者載置台に固定し、前記被験者を前記被験者載置台に固定された表面から施術可能とすることを特徴とする被験者保持装置である。
【発明の効果】
【０００７】
前記第１発明によれば、被験者が載置される被験者載置台と、その被験者載置台に載置された被験者をその被験者載置台に固定する被験者固定治具とを、備え、前記被験者固定治具は、被験者の治療患部を露出させつつ身体の一部又は全部を筒状に被覆する気密性の袋体を備え、その袋体は、内部に複数の粒子状材料が充填され、その内部が陰圧とされることで形状の変化が抑制されるものであり、前記被験者固定治具は、前記被験者載置台に対する前記袋体の相対位置を固定する固定部材を備えたものであることから、被験者を筒状に被覆した前記袋体の内部から空気を抜く等その内部を陰圧とすることで、前記袋体の形状の変化を抑制し、被覆された被験者の身体を確実に保持することができる。また、該固定部材は、前記被験者載置台に載置された被験者の体位を腹臥位と仰臥位との間で変更しても、被験者の身体を保持した前記袋体ごと前記被験者固定治具を前記被験者載置台に固定するので、被験者の姿勢を維持したまま体位の変更をすることができる。また、前記被験者載置台の角度にかかわらず、前記被験者固定治具により前記治療患部が露出した状態で前記被験者が前記被験者載置台に固定され、前記被験者は前記被験者載置台に固定された表面から施術可能とすることができる。すなわち、粒子線治療等に際して被験者の身体を十分確実に固定する被験者保持装置を提供することができる。
【０００８】
前記第１発明に従属する本第２発明の要旨とするところは、前記袋体は、その袋体に被覆される被験者の治療患部に対応する位置に、前記袋体からその治療患部を露出させる穴部を備えたものである。このようにすれば、所定の治療患部における粒子線治療に際して、被験者の身体を十分確実に固定することができる。
【０００９】
前記第２発明に従属する本第３発明の要旨とするところは、前記治療患部は、前記被験者の少なくとも一方の乳房である。このようにすれば、乳癌をはじめとする乳房に係る粒子線治療に際して、被験者の身体を十分確実に固定することができる。
【００１０】
前記第１発明乃至第３発明の何れかに従属する本第４発明の要旨とするところは、被験者の少なくとも一方の乳房を含む体表の形状に合わせてカップ状に形成され、内面側に被験者の皮膚表面に対して粘着性を有する粘着層を備えた乳房保持具と、前記被験者載置台と前記乳房保持具との間に設けられ、前記被験者載置台に仰臥位で載置された被験者の頭足方向を基準方向として前記被験者載置台に対する前記乳房保持具の３次元方向の位置及び角度の少なくとも一方を調整できるアーム部材とを、備えたものである。このようにすれば、乳癌をはじめとする乳房に係る粒子線治療に際して、乳房を心臓、肺等の主要臓器から離し、且つその乳房の形状を保持することができる。
【００１１】
前記第１発明乃至第４発明の何れかに従属する本第５発明の要旨とするところは、前記袋体は、１方向の筒状又は複数方向に分岐した筒状である。このようにすれば、実用的な態様の被験者固定治具により、粒子線治療等に際して被験者の身体を十分確実に固定することができる。
【００１２】
前記第１発明乃至第５発明の何れかに従属する本第６発明の要旨とするところは、前記袋体は、相互に定着させられる１対又は複数対の定着部を備え、その定着部が相互に定着させられることで筒状とされるものである。このようにすれば、実用的な態様の被験者固定治具により、粒子線治療等に際して被験者の身体を十分確実に固定することができる。
【００１３】
前記第６発明に従属する本第７発明の要旨とするところは、前記袋体は、前記定着部が相互に定着させられることで袖の無い胴衣状とされるものである。このようにすれば、実用的な態様の被験者固定治具により、粒子線治療等に際して被験者の身体を十分確実に固定することができる。
【図面の簡単な説明】
【００１４】
【図１】本発明の好適な実施例である被験者保持装置の構成の一例を説明する図である。
【図２】図１の被験者保持装置に備えられた被験者載置台を、被験者が載置される上面に垂直な方向から視た平面図である。
【図３】図２の被験者載置台を矢印IIIに示す方向に視た側面図である。
【図４】図１の被験者保持装置に備えられた被験者固定治具の構成の一例を詳しく説明する図であり、展開した様子を前面側から視た正面図である。
【図５】図１の被験者保持装置に備えられた被験者固定治具の構成の一例を詳しく説明する図であり、展開した様子を背面側から視た背面図である。
【図６】図１の被験者保持装置に備えられた被験者固定治具の構成の一例を詳しく説明する図であり、面ファスナを貼り合わせた様子を前面側から視た正面図である。
【図７】図１の被験者保持装置に備えられた被験者固定治具により被験者が被覆された様子を模式的に示す図であり、被験者の背面側から視た図である。
【図８】図１の被験者保持装置に備えられた被験者固定治具により被験者が被覆された様子を模式的に示す図であり、被験者の正面側から視た図である。
【図９】図４〜図６の被験者固定治具に備えられた袋体の構成を概略的に示す図である。
【図１０】図１の被験者保持装置に備えられた乳房保持具の構成を例示する図であり、その乳房保持具を上部側から視た平面図である。
【図１１】図１０のXI−XI視断面図である。
【図１２】図１の被験者保持装置に備えられたアーム状部材の構成の一例を示す斜視図である。
【図１３】図１２に示す乳房保持具とは態様の異なる乳房保持具がアーム状部材に取り付けられた構成を例示する図である。
【図１４】図１の被験者保持装置を用いて被験者に粒子線治療を行う治療行程の一例の要部を説明するフローチャートである。
【図１５】本発明の他の実施例である被験者保持装置の構成の一例を説明する図である。
【図１６】図１の被験者保持装置に備えられた被験者固定治具の他の一例を示す図である。
【図１７】図１の被験者保持装置に備えられたアーム状部材の更に別の構成の一例を示す斜視図である。
【図１８】図１の被験者保持装置に備えられたアーム状部材の更に別の構成の一例を示す斜視図である。
【発明を実施するための形態】
【００１５】
以下、本発明の好適な実施例を図面に基づいて詳細に説明する。以下の説明に用いる図面において、各部の寸法比等は必ずしも正確には描かれていない。
【実施例】
【００１６】
図１は、本発明の好適な実施例である被験者保持装置１０の構成の一例を説明する図である。この被験者保持装置１０は、例えば、図示しない医療用装置により陽子線治療、重粒子線治療をはじめとする粒子線治療を行う際に、被験者（患者）の身体を固定（保持）する装置である。図１に示すように、前記被験者保持装置１０は、被験者８が載置される被験者載置台１２と、その被験者載置台１２に載置された前記被験者８をその被験者載置台１２に固定する被験者固定治具１４と、前記被験者８の少なくとも一方の乳房８ｂを保持する乳房保持具１６と、前記被験者載置台１２に対してその乳房保持具１６を保持するアーム状部材１８とを、備えている。
【００１７】
図２及び図３は、前記被験者載置台１２の構成の一例を示す図であり、図２は前記被験者８が載置される上面２０に垂直な方向から視た平面図、図３は図２の被験者載置台１２を矢印IIIに示す方向に視た側面図である。これら図２及び図３に示すように、前記被験者載置台１２は、例えば平板状に構成されたものであり、一方の平面部である上面２０に前記被験者８が載置される。前記被験者載置台１２には、その被験者載置台１２に対する前記被験者固定治具１４（被験者固定治具１４に備えられた袋体２８）の相対位置を固定する固定部材として、例えば、前記被験者固定治具１４側に設けられた面ファスナ２２ｂと張り合わされる長手状の面ファスナ２２ａと、前記被験者固定治具１４側に設けられた複数の結合部２４ｂとそれぞれ結合される複数の結合部２４ａとが、設けられている
【００１８】
前記被験者載置台１２は、前記アーム状部材１８が取り付けられる取付部２６を備えている。好適には、前記被験者載置台１２に仰臥位で載置された前記被験者８の左右方向に、１対又は複数対の前記取付部２６が設けられている。各取付部２６には、前記被験者載置台１２に仰臥位で載置される前記被験者８の頭足方向に、前記アーム状部材１８が選択的に取り付けられる複数の取付位置が配設されている。前記アーム状部材１８が、それら何れかの取付位置に取り付けられることで、そのアーム状部材１８における基台部１８ｂ（図１２等を参照）の前記被験者載置台１２に対する前記頭足方向すなわち図１にｘ軸で示す方向の位置が定められる。
【００１９】
図４〜図６は、前記被験者固定治具１４の構成の一例を詳しく説明する図であり、図４は面ファスナ３０ａ、３０ｂ等を貼り合わせず展開した様子を前面側から視た正面図、図５は面ファスナ３０ａ、３０ｂ等を貼り合わせず展開した様子を背面側から視た背面図、図６は面ファスナ３０ａ、３０ｂ等を貼り合わせた様子を前面側から視た正面図である。前記被験者固定治具１４は、前記被験者８の身体の一部又は全部を筒状に被覆する気密性の袋体２８を備えている。この袋体２８は、１方向の筒状又は複数方向に分岐した筒状である。図４〜図６においては、１方向の筒状に形成された袋体２８を例示している。前記袋体２８は、好適には、相互に定着させられる１対又は複数対の定着部を備え、各定着部が相互に定着させられることで筒状とされる。更に好適には、前記定着部が相互に定着させられることで、図６に示すように、首部及び腕部を除いた袖の無い胴衣状（すなわち、所謂ノースリーブ状）とされるものである。図１においては、前記被験者保持具１４が前記被験者８の上半身のみならず、下半身をも覆う形態を例示しているが、前記被験者保持具１４は、少なくとも前記被験者８の上半身（好適には、頭部及び腕部を除く部分）を被覆するものであればよい。後述する図１５の説明において同じである。
【００２０】
図４〜図６に示すように、前記袋体２８は、例えば、その袋体２８を胴衣として見た場合におけるおくみ（上交）に相当する部分に、相互に張り合わされる１対の面ファスナ３０ａ、３０ｂを備えている。前記袋体２８を胴衣として見た場合における左脇に相当する部分に、相互に張り合わされる１対の面ファスナ３２ａ、３２ｂを備えている。前記袋体２８を胴衣として見た場合における右脇に相当する部分に、相互に張り合わされる１対の面ファスナ３４ａ、３４ｂを備えている。すなわち、前記袋体２８は、前記定着部として、相互に張り合わされる複数対の面ファスナ３０ａ、３０ｂ、３２ａ、３２ｂ、３４ａ、３４ｂ（以下、単に面ファスナ３０ａ、３０ｂ等という）を備え、例えば前記袋体２８の一部が巻き込まれ或いは折り込まれて、前記面ファスナ３０ａ、３０ｂ等が相互に定着させられることで、図６に示すように袖の無い胴衣状とされるものである。前記面ファスナ３０ａ、３０ｂ等は、一方がフック状とされ他方がパイル状とされた公知のテープ状定着部材である（以下の面ファスナの説明において同じ）。前記袋体２８は、前記面ファスナ３０ａ、３０ｂに加え、或いはその代替として、公知の結束ベルト（バンド）或いは紐等の部材を前記定着部として備えたものであってもよい。
【００２１】
図７及び図８は、前記被験者固定治具１４（袋体２８）により前記被験者８が被覆された様子を模式的に示す図であり、図７は被験者８の背面側から視た図、図８は被験者８の正面側から視た図である。前記被験者固定治具１４は、前記被験者載置台１２に対する前記袋体２８の相対位置を固定する固定部材を備えたものである。例えば、図５及び図７に示すように、前記被験者載置台１２側に設けられた面ファスナ２２ａと張り合わされる面ファスナ２２ｂが、前記袋体２８における背面部（袋体２８を胴衣として見た場合における背中に相当する位置）に、例えば前記被験者８の脊柱に沿って長手状に設けられている。前記被験者固定台１２側に設けられた複数の結合部２４ａとそれぞれ結合される複数の結合部２４ｂが、前記袋体２８における背面部に設けられている。前記結合部２４ａ、２４ｂは、例えば相互に嵌め合わされる（係合させられる）ことで固定される公知の嵌合部材（係合部材）であり、例えば合成樹脂材料等から形成されたものである。前記被験者載置台１２及び前記被験者固定治具１４は、前記面ファスナ２２ａ、２２ｂ及び前記結合部２４ａ、２４ｂに加え、或いはその代替として、公知の結束ベルト（バンド）或いは紐等の部材を前記定着部として備えたものであってもよい。
【００２２】
図８に示すように、前記袋体２８は、好適には、その袋体２８に被覆される被験者８の治療患部（図示しない医療用装置による治療対象となる部位）に対応する位置に、前記袋体２８から治療患部を露出（裸出）させる穴部３６を備えている。好適には、前記袋体２８に被覆される被験者８の少なくとも一方の乳房８ｂに対応する位置に、前記袋体２８からその乳房８ｂを露出（裸出）させる穴部３６を備えている。換言すれば、前記袋体２８により前記被験者８の身体の一部又は全部を巻き込んで覆い、或いは挟み込んで覆った状態で前記面ファスナ３０ａ、３０ｂ等が相互に貼り付けられ、図７及び図８に示すように前記袋体２８が前記被験者８を覆う筒状（円筒形状）とされた際、その袋体２８から前記被験者８の乳房８ｂが露出されるように少なくとも１つの前記穴部３６がくり貫かれて設けられている。前記穴部３６は、少なくとも前記被験者８における乳頭（乳首）を含む前記乳房８ｂの一部又は全部を前記袋体２８から露出させる部位に設けられている。好適には、前記被験者８における前記乳房８ｂ、胸骨、鎖骨、及び肋骨を含む領域の一部又は全部を前記袋体２８から露出させる部位に設けられている。
【００２３】
図９は、前記袋体２８の構成を概略的に示す図である。前記袋体２８は、好適には、図９に示すように、その袋体２８の内部２８ｉに多数の粒子状材料３８が充填され、その内部２８ｉが陰圧（外部よりも低い圧力）とされることで形状の変化が抑制されるものである。前記粒子状材料３８は、好適には、発泡ポリスチレン等の合成樹脂材料から例えば１ｍｍφ程度の径寸法を備えて略球状に構成されたものである。前記袋体２８においては、気密性を有する袋状部材の内部２８ｉに前記多数の粒子状材料３８が充填されており、前記袋体２８には、その内部２８ｉの空気量を調節可能とする弁２８ｖが設けられている。例えば、この弁２８ｖを介して前記袋体２８の内部２８ｉの空気を吸引することにより、その内部２８ｉを陰圧とすることができる。前記袋体２８において、その内部２８ｉに十分な空気が封入された状態では、前記多数の粒子状材料３８が前記内部２８ｉを自由に移動（流動）させられ、前記被験者８の身体の凹凸及び曲面形状に沿って前記袋体２８が変形させられる。そのように前記袋体２８が前記被験者８の身体の凹凸及び曲面形状に沿って変形させられた状態で、前記弁２８ｖを介して前記袋体２８の内部２８ｉの空気が吸引されると、その内部２８ｉに充填された前記多数の粒子状材料３８が凝集し、前記袋体２８が全体として固化（硬化）させられてその変形が抑制される。これにより、前記被験者固定治具１４により前記被験者８の身体を確実に保持固定することができる。前記袋体２８は、換言すれば、その内部２８ｉの空気が吸引されることで形状の変化が抑制される吸引式固定クッションである。
【００２４】
図１０及び図１１は、前記被験者保持装置１０に備えられた前記乳房保持具１６の構成を例示する図であり、図１０はその乳房保持具１６を上部側から視た平面図、図１１は図１０のXI−XI視断面図である。図１１に示すように、前記乳房保持具１６は、前記被験者８の少なくとも一方の乳房８ｂを含む体表の形状に合わせてカップ状に形成されたものである。少なくとも前記被験者８における乳頭（乳首）を含む前記乳房８ｂの一部又は全部を被覆する形状とされている。すなわち、前記乳房保持具１６は、好適には、図１０及び図１１に示すように、前記被験者８における乳頭が収まる空間１６ｎと、その被験者８における乳房８ｂの一部又は全部が収まる空間１６ｂとを、備えている。更に好適には、前記被験者８における前記乳房８ｂ、胸骨、鎖骨、及び肋骨を含む領域の一部又は全部を被覆する形状とされている。前記乳房保持具１６は、好適には、後述する図１３に示すように、前記被験者８の乳房８ｂの形状に係る情報を公知の３次元スキャナ（３Ｄスキャナ）により取得し、その情報に基づいて各被験者８毎に個別に作成されるものであってもよい。前記乳房保持具１６は、例えば、取付部１６ｓにおいて、前記アーム状部材１８における先端部１８ｐの一部に嵌合されること等により、前記アーム状部材１８に取り付けられる。
【００２５】
図１１に示すように、前記乳房保持具１６は、その内面側に、前記被験者８の皮膚表面に対して粘着性を有する粘着層４０を備えている。すなわち、前記乳房保持具１６が前記被験者８の乳房８ｂに取り付けられた際、その乳房８ｂに接触する部位の全面又は一部表面に、前記乳房８ｂの皮膚表面に対して粘着性を有する粘着層４０を備えている。この粘着層４０は、好適には、ウレタンゲル又はシリコーンゲル等の粘着性を有する合成樹脂材料である。前記粘着層４０にアクリル系、シリコーン系、ウレタン系、ゴム系の粘着剤が用いられてもよい。前記粘着層４０にアクリル系、シリコーン系、ウレタン系、スチレン系エラストマ等の粘着性を有する合成樹脂材料が用いられてもよい。図１１に示すように、好適には、前記乳房保持具１６において、前記被験者８における乳頭が収まる空間１６ｎの内周面、及び前記被験者８における乳房８ｂの一部又は全部が収まる空間１６ｂの内周面を被覆して前記粘着層４０が設けられている。
【００２６】
図１２は、前記アーム状部材１８の構成の一例を示す斜視図であり、その先端部１８ｐに前記乳房保持具１６が取り付けられた様子を示している。この図１２に示すように、前記アーム状部材１８は、前記被験者載置台１２と前記乳房保持具１６との間に設けられている。好適には、前記先端部１８ｐとは逆側に設けられた基台部１８ｂにおいて、前記被験者載置台１２における前記取付部２６に直接乃至間接に固定されている。前記先端部１８ｐにおける一部に、前記乳房保持具１６における取付部１６ｓが嵌合されること等により、前記先端部１８ｐに前記乳房保持具１６が取り付けられている。
【００２７】
前記アーム状部材１８は、例えば、図１２に示すように多関節構造とされることで、前記先端部１８ｐに取り付けられた前記乳房保持具１６の、前記基台部１８ｂに対する３次元方向の位置及び角度の少なくとも一方を調整できるように構成されている。好適には、少なくとも３次元方向の位置を調整できるように構成されている。前記アーム状部材１８は、前記基台部１８ｂにおいて前記被験者載置台１２に固定されることで、その被験者載置台１２に仰臥位で載置された前記被験者８の頭足方向を基準方向として、前記被験者載置台１２に対する前記乳房保持具１６の３次元方向の位置及び角度の少なくとも一方の調整を可能とする。すなわち、図１に示すように、前記被験者載置台１２に仰臥位で載置された前記被験者８の頭足方向をｘ軸方向とし、そのｘ軸に垂直を成し且つ相互に直交するｙ軸及びｚ軸を定めた場合、前記被験者載置台１２に対する前記乳房保持具１６のｘ、ｙ、ｚ軸方向の位置及び角度の少なくとも一方の調整を可能とする。
【００２８】
図１３は、前記乳房保持具１４とは態様の異なる乳房保持具４２が、前記アーム状部材１８の先端部１８ｐに取り付けられた構成を例示する図であり、（ａ）は前記乳房保持具４２が前記アーム状部材１８の先端部１８ｐに取り付けられた様子を説明する斜視図、（ｂ）は前記先端部１８ｐの構造を詳しく説明する正面図である。この図１３に示す乳房保持具４２は、前記被験者８の乳房８ｂの形状に係る情報を公知の３次元スキャナにより取得し、その情報に基づいて各被験者８毎に個別に作成されるものである。前記乳房保持具４２は、前記被験者８における前記乳房８ｂ、胸骨、鎖骨、及び肋骨を含む領域の一部又は全部を被覆する形状とされている。前記乳房保持具４２の内面側には、前記被験者８の皮膚表面に対して粘着性を有する粘着層４０が設けられている。図１３に示す構成においては、（ｂ）に示すように、前記先端部１８ｐの内部に球体１８ｇが嵌め入れられており、その球体１８ｇに対して前記乳房保持具４２の取付部１６ｓが取り付けられている。斯かる構成により、前記アーム状部材１８の先端部１８ｐに対して、前記乳房保持具４２（取付部１６ｓ）を任意の角度に調整できるようになっている。更に、（ａ）の前記アーム状部材１８の先端部１８ｐに矢印で示すように、その先端部１８ｐ対して前記乳房保持具４２の相対回転が可能とされている。すなわち、前記アーム状部材１８に対して、前記取付部１６ｓを中心とする前記乳房保持具４２の回転方向の角度が変更可能とされている。
【００２９】
図１４は、前記被験者保持装置１０を用いて前記被験者８に粒子線治療を行う治療行程の一例の要部を説明するフローチャートである。先ず、行程Ｐ１において、治療対象となる前記被験者８が前記被験者載置台１２に載置され、前記被験者固定治具１４により前記被験者載置台１２に固定される。この行程Ｐ１において、前記被験者８の体位は仰臥位とされる。次に、行程Ｐ２において、前記被験者載置台１２に前記被験者８が固定されたままその被験者載置台１２が重力方向に対して傾斜させられる等して、前記被験者８の体位が仰臥位から腹臥位に変更される。次に、行程Ｐ３において、前記被験者８の乳房８ｂを含む部位に前記乳房保持具１６、４２等が取り付けられる。次に、行程Ｐ４において、前記乳房保持具１６、４２等が前記アーム状部材１８の先端部１８ｐに取り付けられる。次に、行程Ｐ５において、前記アーム状部材１８の基台部１８ｂが前記被験者載置台１２の取付部２６に取り付けられる。次に、行程Ｐ６において、前記被験者載置台１２に前記被験者８が固定されたままその被験者載置台１２が水平に戻される等して、前記被験者８の体位が腹臥位から仰臥位に変更される。次に、行程Ｐ７において、前記被験者８の体内の映像を撮影する公知のＣＴ検査及びＭＲＩ検査の少なくとも一方が行われる。次に、行程Ｐ８において、前記被験者８の乳房８ｂに対して陽子線治療、重粒子線治療をはじめとする粒子線治療が行われる。
【００３０】
図１４を用いて前述したように、陽子線治療、重粒子線治療をはじめとする粒子線治療では、前記被験者８の体位を仰臥位、側臥位、腹臥位等の間で適宜変更する必要があることに加え、粒子線を照射する装置と前記被験者８の身体との相対位置関係が治療部位の決定に関わるため、その被験者８の身体を確実に固定することが求められる。特に、前記被験者８の乳房８ｂに対する粒子線治療では、粒子線の照射により前記乳房８ｂの近傍に位置する心臓、肺等の主要臓器に悪影響が出ないように、その乳房８ｂをそれら主要臓器から離す必要がある。更に、前記乳房８ｂは重力の影響を受け易く、容易に形状が変形するため、治療の際は前記乳房８ｂの形状が変化しないように必要な体位での乳房形状を保持する必要がある。本実施例の被験者保持装置１０は、図１〜図１３を用いて前述した構成を備えることにより、例えば図１に示すように前記被験者載置台１２に前記被験者８を仰臥位で固定した場合において、その被験者載置台１２を重力方向に対して任意の角度で傾斜させた場合であっても、前記被験者載置台１２に対する前記被験者８の仰臥位を保持することが可能とされる。特に、前記乳房保持具１６及び前記アーム状部材１８を備えることで、前記被験者８における乳房８ｂの形状の変化及び前記被験者載置台１２に対する相対位置の変化を好適に抑制できる。すなわち、陽子線治療、重粒子線治療をはじめとする粒子線治療に際して、前記被験者８の乳房８ｂを含む身体を確実に保持することができる。
【００３１】
このように、本実施例によれば、被験者８が載置される被験者載置台１２と、その被験者載置台１２に載置された被験者８をその被験者載置台１２に固定する被験者固定治具１４とを、備え、前記被験者固定治具１４は、前記被験者８の身体の一部又は全部を筒状に被覆する気密性の袋体２８を備え、その袋体２８は、内部２８ｉに複数の粒子状材料３８が充填され、その内部２８ｉが陰圧とされることで形状の変化が抑制されるものであり、前記被験者固定治具１４は、前記被験者載置台１２に対する前記袋体２８の相対位置を固定する固定部材としての面ファスナ２２ａ、２２ｂ及び結合部２４ａ、２４ｂを備えたものであることから、前記被験者８を筒状に被覆した前記袋体２８の内部２８ｉから空気を抜く等その内部２８ｉを陰圧とすることで、前記袋体２８の形状の変化を抑制し、被覆された被験者８の身体を確実に保持することができる。すなわち、粒子線治療等に際して被験者８の身体を十分確実に固定する被験者保持装置１０を提供することができる。
【００３２】
前記袋体２８は、その袋体２８に被覆される前記被験者８の少なくとも一方の乳房８ｂに対応する位置に、前記袋体２８からその乳房８ｂを露出させる穴部３６を備えたものであるため、乳癌をはじめとする前記乳房８ｂに係る粒子線治療に際して、前記被験者８の身体を十分確実に固定することができる。
【００３３】
前記被験者８の少なくとも一方の乳房８ｂを含む体表の形状に合わせてカップ状に形成され、内面側に前記被験者８の皮膚表面に対して粘着性を有する粘着層４０を備えた乳房保持具１６、４２と、前記被験者載置台１２と前記乳房保持具１６、４２との間に設けられ、前記被験者載置台１２に仰臥位で載置された前記被験者８の頭足方向を基準方向として前記被験者載置台１２に対する前記乳房保持具１６、４２の３次元方向の位置及び角度の少なくとも一方を調整できるアーム部材１８とを、備えたものであるため、乳癌をはじめとする前記乳房８ｂに係る粒子線治療に際して、前記乳房８ｂを心臓、肺等の主要臓器から離し、且つその乳房８ｂの形状を保持することができる。
【００３４】
前記袋体２８は、相互に定着させられる１対又は複数対の定着部としての面ファスナ３０ａ、３０ｂ等を備え、その面ファスナ３０ａ、３０ｂ等が相互に定着させられることで筒状とされるものであるため、実用的な態様の被験者固定治具１４により、粒子線治療等に際して前記被験者８の身体を十分確実に固定することができる。
【００３５】
前記袋体２８は、前記面ファスナ３０ａ、３０ｂ等が相互に定着させられることで袖の無い胴衣状とされるものであるため、実用的な態様の被験者固定治具１４により、粒子線治療等に際して前記被験者８の身体を十分確実に固定することができる。
【００３６】
以上、本発明の好適な実施例を図面に基づいて詳細に説明したが、本発明はこれに限定されるものではなく、更に別の態様においても実施される。
【００３７】
例えば、前述の実施例において、前記アーム状部材１８は、その基台部１８ｂが前記被験者載置台１２に設けられた取付部２６に直接取り付けられるものであったが、本発明はこれに限定されるものではなく、例えば、図１５に例示するように、前記被験者載置台１２に架橋部４４が取り付けられ、その架橋部４４に前記アーム状部材１８が取り付けられるものであってもよい。前記架橋部４４は、前記被験者載置台１２に仰臥位で載置された前記被験者８の左右方向に設けられた１対の前記取付部２６相互間に架け渡された１対の長手状部材である。前記架橋部４４が、前記取付部２６における複数の取付位置の何れかに取り付けられることで、その架橋部４４の前記被験者載置台１２に対する前記頭足方向すなわち図１にｘ軸で示す方向の位置が定められる。前記アーム状部材１８の基台部１８ｂは、前記架橋部４４の長手方向における任意の位置に取り付けられるようになっている。前記アーム状部材１８の基台部１８ｂが前記架橋部４４の長手方向における所定の位置に取り付けられることで、そのアーム状部材１８の前記被験者載置台１２に対する前記頭足方向に垂直な方向すなわち図１にｙ軸で示す方向の位置が定められる。すなわち、図１５に示す構成では、前記アーム状部材１８が前記架橋部４４を介して間接的に前記被験者載置台１２に固定されていることで、そのアーム状部材１８における基台部１８ｂの前記被験者載置台１２に対するｘ軸方向及びｙ軸方向（すなわち、上面２０の平面方向）の位置を定めることができる。これにより、前記被験者保持装置１０に載置された前記被験者８の乳房８ｂをより確実に保持することができる。
【００３８】
前述の実施例において、前記被験者保持装置１０は、前記被験者８の乳房８ｂに対する粒子線治療を行う際にその被験者８を固定するものであったが、本発明はこれに限定されるものではなく、他の部位に対する粒子線治療において前記被験者８を固定する態様においても好適に適用される。この場合、前記被験者固定治具１４は、必ずしも前記穴部３６を備えなくともよい。前記被験者固定治具１４は、前記被験者８の頭部等をも被覆延いては固定するものであってもよい。前記被験者固定治具１４は、前記面ファスナ３０ａ、３０ｂ等の定着部を備えず、筒状或いは胴衣状に構成されたものであってもよい。例えば、図１６に示すような胴衣状（シャツ状）の被験者固定治具５０を備えたものであってもよい。この被験者固定治具５０は、被験者８の身体の一部又は全部を筒状に被覆する気密性の袋体でもある。すなわち、図１６は、３方向に分岐した筒状である袋体を備えた被験者固定治具５０を例示している。
【００３９】
前述の実施例において、前記アーム状部材１８は、多関節構造とされていることにより前記被験者載置台１２に対する前記乳房保持具１６等の３次元方向の位置及び角度の少なくとも一方を変更可能とするものであったが、前記被験者載置台１２に対して前記乳房保持具１６の位置及び角度等を十分確実に固定できるのであれば、公知のフレキシブルアーム等が前記アーム状部材１８の代替として用いられるものであってもよい。
【００４０】
前記アーム状部材１８の先端部１８ｐは、例えば図１７に示すように、前記乳房保持具１６、４２等の取付部１６ｓを挟んで固定する（挟持する）ものであってもよい。斯かる構成においては、前記乳房保持具１６、４２等を簡便に前記アーム状部材１８に取り付けることができる。更に、図１７に示す構成によれば、前記取付部１６ｓの上方（軸芯方向における乳房保持具１６、４２等の反対側）に前記先端部１８ｐが位置しないため、前記取付部１６ｓの上方に図示しない医療用装置の照射ガントリ等を配置することができる。これにより、図１３等を用いて前述した構成に比べ、前記照射ガントリ等を前記被験者８の治療患部（例えば、乳房８ｂ等）に更に接近させることができ、治療の精度を高めることができる。
【００４１】
前記被験者保持装置１０は、前記アーム状部材１８の代替として、例えば図１８に示すように、多関節構造を有しないアーム状部材５２を備えたものであってもよい。斯かるアーム状部材５２によれば、前記乳房保持具１６、４２等の位置固定性を向上させられることに加え、前記乳房保持具１６、４２等及び前記アーム状部材１８の前記被験者載置台１２に対する取り付けを簡便なものとすることができる。図１８に示す構成において、好適には、治療対象となる被験者８における治療患部（例えば、乳房８ｂ等）の形状、病巣（腫瘍）位置、及び治療計画等に合わせ、前記乳房保持具１６、４２等及び前記アーム状部材５２が、例えば公知の３Ｄプリンタ等により一体的に形成される。
【００４２】
その他、一々例示はしないが、本発明はその趣旨を逸脱しない範囲内において種々の変更が加えられて実施されるものである。
【符号の説明】
【００４３】
８：被験者、８ｂ：乳房、１０：被験者保持装置、１２：被験者載置台、１４、５０：被験者固定治具、１６、４２：乳房保持具、１８、５２：アーム状部材、２２ａ、２２ｂ：面ファスナ（固定部材）、２４ａ、２４ｂ：結合部（固定部材）、２８：袋体、２８ｉ：内部、３０ａ、３０ｂ、３２ａ、３２ｂ、３４ａ、３４ｂ：面ファスナ（定着部）、３６：穴部、３８：粒子状材料、４０：粘着層
【図１】
0006653815.tif 000002
【図２】
0006653815.tif 000003
【図３】
0006653815.tif 000004
【図４】
0006653815.tif 000005
【図５】
0006653815.tif 000006
【図６】
0006653815.tif 000007
【図７】
0006653815.tif 000008
【図８】
0006653815.tif 000009
【図９】
0006653815.tif 000010
【図１０】
0006653815.tif 000011
【図１１】
0006653815.tif 000012
【図１２】
0006653815.tif 000013
【図１３】
0006653815.tif 000014
【図１４】
0006653815.tif 000015
【図１５】
0006653815.tif 000016
【図１６】
0006653815.tif 000017
【図１７】
0006653815.tif 000018
【図１８】
0006653815.tif 000019